(57)【要約】【課題】ブシュとピンの遊嵌部分に潤滑油を十分に導入することができるとともに、外リンクプレートが変形することを防止し、円滑に屈曲して騒音や振動が少なく、摩擦や摩耗の発生も少ないチェーンを提供すること。【解決手段】内リンクプレート１１０と外リンクプレート１２０とが交互に多数連結されているチェーン１００において、外リンクプレート１１０が、一方の表面に曲線状に伸びて前後一対のピン圧入孔１２３と繋がる溝部１２４を有していること。【選択図】図２
2009275865.tif 000002
【特許請求の範囲】
【請求項１】
前後一対のブシュ圧入孔をそれぞれ有する左右一対の内リンクプレートと、両端部が前記ブシュ圧入孔に圧入嵌着された円筒状のブシュと、前記内リンクプレートの両外側に配置され前後一対のピン圧入孔をそれぞれ有する左右一対の外リンクプレートと、前記ブシュに回転自在に嵌挿されて両端部が前記ピン圧入孔に圧入嵌着されたピンとで構成され、前記内リンクプレートと前記外リンクプレートとが交互に多数連結されているチェーンにおいて、
前記外リンクプレートが、一方の表面に曲線状に伸びて前記前後一対のピン圧入孔と繋がる溝部を有していることを特徴とするチェーン。
【請求項２】
前記溝部が、前記前後一対のピン圧入孔を円弧状に結ぶものであることを特徴とする請求項１に記載のチェーン。
【請求項３】
前記溝部が、プレス加工により形成されていることを特徴とする請求項１または請求項２に記載のチェーン。
【請求項４】
前記溝部が、複数本設けられていることを特徴とする請求項１乃至請求項３のいずれかに記載のチェーン。
【請求項５】
前記溝部が、前記前後一対のピン圧入孔のそれぞれ対向する半円側で繋がっていることを特徴とする請求項１乃至請求項４のいずれかに記載のチェーン。
【発明の詳細な説明】
【技術分野】
【０００１】
本発明は、自動車、産業用機械等の動力伝達機構あるいは搬送機構などに用いられるチェーンに関するものであって、特に、内リンクプレートと外リンクプレートとがブシュとピンにより交互に多数連結されているチェーンに関するものである。
【背景技術】
【０００２】
従来、前後一対のブシュ圧入孔をそれぞれ有する左右一対の内リンクプレートと、両端部がブシュ圧入孔に圧入嵌着された円筒状のブシュと、内リンクプレートの両外側に配置され前後一対のピン圧入孔をそれぞれ有する左右一対の外リンクプレートと、ブシュに回転自在に嵌挿されて両端部がピン圧入孔に圧入嵌着されたピンとで構成され、内リンクプレートと外リンクプレートとが交互に多数連結されているチェーンは周知である。
【０００３】
また、ブシュとピンの遊嵌部分に潤滑油を導入してチェーンの屈曲を円滑にするものも周知であり、潤滑油をより有効に導入するために外リンクプレートに溝部を設けたチェーンが公知である。
【０００４】
この公知のチェーンの外リンクプレート５２１は、図９、図１０に示すように、一方の表面に前後一対のピン圧入孔５２３と繋がる溝部５２４が両ピン圧入孔５２３の中心Ｃを結ぶ線上に直線的に設けられており、当該溝部５２４を通じてブシュとピンの遊嵌部分に潤滑油が十分導入されるように構成されている（例えば、特許文献１参照。）。
【特許文献１】特開２００３−２９４０８９号公報（第５頁、図４）
【発明の開示】
【発明が解決しようとする課題】
【０００５】
しかしながら、この公知のチェーンの外リンクプレート５２１は、曲げ応力が加わった場合、溝部５２４が最も剛性が低く、かつ、直線的に設けられているため、溝部５２４を中心として図１１に示すような変形が生じやすく、また、プレス加工等の残留応力に影響を及ぼすような加工方法を採用した場合は、加工時に変形したり使用時にさらに変形が生じやすくなるという問題があった。
【０００６】
そして、外リンクプレート５２１が変形すると、図１２に示すように、外リンクプレート５２１の外縁が内リンクプレート５１１に接触し、摩擦抵抗によりチェーンの円滑な屈曲を阻害するとともに、摩擦による騒音が発生したり、摩耗によりチェーンに振動が発生したり、摩耗により生じる摩耗粉によってブシュ５１２とピン５２２の間隙やブシュ５１２とローラ５１４の間隙等の他の摺動部の摩耗を誘発したりするという問題があった。
【０００７】
本発明は、前述したような従来技術の問題を解決するものであって、すなわち、本発明の目的は、ブシュとピンの遊嵌部分に潤滑油を十分に導入することができるとともに、外リンクプレートが変形することを防止し、円滑に屈曲して騒音や振動が少なく、摩擦や摩耗の発生も少ないチェーンを提供することである。
【課題を解決するための手段】
【０００８】
本請求項１に係る発明は、前後一対のブシュ圧入孔をそれぞれ有する左右一対の内リンクプレートと、両端部が前記ブシュ圧入孔に圧入嵌着された円筒状のブシュと、前記内リンクプレートの両外側に配置され前後一対のピン圧入孔をそれぞれ有する左右一対の外リンクプレートと、前記ブシュに回転自在に嵌挿されて両端部が前記ピン圧入孔に圧入嵌着されたピンとで構成され、前記内リンクプレートと前記外リンクプレートとが交互に多数連結されているチェーンにおいて、前記外リンクプレートが、一方の表面に曲線状に伸びて前記前後一対のピン圧入孔と繋がる溝部を有していることにより、前記課題を解決するものである。
【０００９】
本請求項２に係る発明は、請求項１に記載されたチェーンの構成に加えて、前記溝部が、前記前後一対のピン圧入孔を円弧状に結ぶものであることにより、前記課題をさらに解決するものである。
【００１０】
本請求項３に係る発明は、請求項１または請求項２に記載されたチェーンの構成に加えて、前記溝部が、プレス加工により形成されていることにより、前記課題をさらに解決するものである。
【００１１】
本請求項４に係る発明は、請求項１乃至請求項３のいずれかに記載されたチェーンの構成に加えて、前記溝部が、複数本設けられていることにより、前記課題をさらに解決するものである。
【００１２】
本請求項５に係る発明は、請求項１乃至請求項４のいずれかに記載されたチェーンの構成に加えて、前記溝部が、前記前後一対のピン圧入孔のそれぞれ対向する半円側で繋がっていることにより、前記課題をさらに解決するものである。
【発明の効果】
【００１３】
本請求項１に係る発明は、前後一対のブシュ圧入孔をそれぞれ有する左右一対の内リンクプレートと、両端部がブシュ圧入孔に圧入嵌着された円筒状のブシュと、内リンクプレートの両外側に配置され前後一対のピン圧入孔をそれぞれ有する左右一対の外リンクプレートと、ブシュに回転自在に嵌挿されて両端部がピン圧入孔に圧入嵌着されたピンとで構成され、内リンクプレートと外リンクプレートとが交互に多数連結されているチェーンにおいて、外リンクプレートが、一方の表面に曲線状に伸びて前後一対のピン圧入孔と繋がる溝部を有していることにより、溝部を通じてブシュとピンの遊嵌部分に潤滑油を十分に導入することができるとともに、溝部に係る曲げ方向の力が曲線に沿って異なる方向に分散するため、外リンクプレートの変形を防止することができ、円滑に屈曲して騒音や振動が少なく、摩擦や摩耗の発生も少ないチェーンとすることができる。
【００１４】
また、本請求項２に係る発明のチェーンは、請求項１に係るチェーンが奏する効果に加えて、溝部が、前後一対のピン圧入孔を円弧状に結ぶものであることにより、曲げ方向の力をさらに効果的に分散することができるため、さらに、外リンクプレートの変形を防止することができる。
【００１５】
本請求項３に係る発明のチェーンは、請求項１または請求項２に係るチェーンが奏する効果に加えて、溝部が、プレス加工により形成されていることにより、溝部を容易に精度よく形成することができるため、さらに、溝部を通じてブシュとピンの遊嵌部分に潤滑油を十分に導入することができる。
【００１６】
本請求項４に係る発明のチェーンは、請求項１乃至請求項３のいずれかに係るチェーンが奏する効果に加えて、溝部が、複数本設けられていることにより、さらに、ブシュとピンの遊嵌部分に潤滑油を十分に導入することができるとともに、溝部を浅く形成することができ、曲げ方向の力もさらに効果的に分散することができるため、さらに、外リンクプレートの変形を防止することができる。
【００１７】
本請求項５に係る発明のチェーンは、請求項１乃至請求項４のいずれかに係るチェーンが奏する効果に加えて、溝部が、前記前後一対のピン圧入孔のそれぞれ対向する半円側で繋がっていることにより、チェーンの引張り時に最も応力のかかるピン圧入孔の対向外側半円側には溝部による厚みの減少部分がないので、外リンクプレートの引張り方向の変形や破断を防止することができる。
【発明を実施するための最良の形態】
【００１８】
本発明は、前後一対のブシュ圧入孔をそれぞれ有する左右一対の内リンクプレートと、両端部がブシュ圧入孔に圧入嵌着された円筒状のブシュと、内リンクプレートの両外側に配置され前後一対のピン圧入孔をそれぞれ有する左右一対の外リンクプレートと、ブシュに回転自在に嵌挿されて両端部がピン圧入孔に圧入嵌着されたピンとで構成され、内リンクプレートと外リンクプレートとが交互に多数連結されているチェーンにおいて、外リンクプレートが、一方の表面に曲線状に伸びて前後一対のピン圧入孔と繋がる溝部を有し、ブシュとピンの遊嵌部分に潤滑油を十分に導入することができるとともに、外リンクプレートが変形することを防止し、円滑に屈曲して騒音や振動が少なく、摩擦や摩耗の発生も少ないチェーンを提供することができるという効果を奏するものであれば、その具体的な実施態様は如何なるものであっても何ら構わない。
【００１９】
すなわち、本発明のチェーンは、エンジンの動弁系やオイルポンプなどの補機等の従動軸を駆動するものであっても、他の動力伝達機構や搬送機構において使用されるものであっても良く、いかなる機構で使用されるものであっても良い。
また、本発明のチェーンは、ローラチェーンであっても良く、ブシュチェーンであっても良い。
【実施例】
【００２０】
以下に、本発明の実施例であるチェーンについて、図面に基づいて説明する。
図１は、本発明の実施例であるチェーンの斜視図であり、図２は、本発明の実施例であるチェーンの断面図であり、図３は、本発明の一実施例であるチェーンの外リンクプレートの正面図であり、図４は、図３の外リンクプレートのＡ−Ａ断面図であり、図５は、図３の外リンクプレートを使用したチェーンの断面図であり、図６は、本発明の他の実施例であるチェーンの外リンクプレートの正面図であり、図７は、図６の外リンクプレートのＢ−Ｂ断面図であり、図８は、図６の外リンクプレートを使用したチェーンの断面図である。
【００２１】
本発明の実施例であるチェーン１００は、図１、図２に示すように、内リンク１１０と外リンク１２０が交互に多数連結されて構成されており、内リンク１１０は、それぞれ前後一対のブシュ圧入孔１１３を有する左右一対の内リンクプレート１１１と、該一対の内リンクプレート１１１のブシュ圧入孔１１３に両端部がそれぞれ嵌着固定された２本の円筒状のブシュ１１２と、両ブシュ１１２に回転自在に外嵌されたローラ１１４で構成される。
【００２２】
外リンク１２０は、それぞれ前後一対のピン圧入孔１２３を有する左右一対の外リンクプレート１２１と、該一対の外リンクプレート１２１のピン圧入孔１２３に両端部がそれぞれ嵌着固定された２本のピン１２２で構成される。
内リンク１１０と外リンク１２０が、円筒状のブシュ１１２内にピン１２２が回転自在に遊嵌されることで交互に多数連結され、チェーン１２０が構成されている。
【００２３】
次に、本発明の一実施例であるチェーンの外リンクプレート１２１について、図３乃至図５に基づいて説明する。
外リンクプレート１２１は、図３及び図４に示すように、前後一対のピン圧入孔１２３と繋がり、それぞれの中心点Ｃを結ぶ線から離れた位置で円弧状に伸びる溝部１２４が、プレス加工により形成されている。
【００２４】
そして、図５に示すように、外リンクプレート１２１は、溝部１２４を内側に対向させて使用されることにより、溝部１２４は、内リンクプレート１１１との僅かな隙間に望むこととなり、該溝部１２４を通じてブシュ１１２とピン１２２の遊嵌部分に潤滑油が十分導入されるように構成されている。
【００２５】
外リンクプレート１２１に曲げ、捩り等の力が加わった場合、剛性の弱い溝部１２４が最も変形しやすいが、溝部１２４が円弧状に伸びていることにより、曲がる方向が分散されているため、外リンクプレート１２１が変形するのが防止される。
また、溝部１２４は、前後一対のピン圧入孔１２３のそれぞれの中心点Ｃより内側のそれぞれ対向する半円側で繋がっているため、チェーン１００の引張り時に最も応力のかかるピン圧入孔１２３の外側半円側には溝部１２４による厚みの減少部分がないので、外リンクプレート１２１の引張り方向の変形や破断を防止することができる。
【００２６】
次に、本発明の別の実施例であるチェーンの外リンクプレート２２１について、図６乃至図８に基づいて説明する。
外リンクプレート２２１は、図６及び図７に示すように、前後一対のピン圧入孔１２３と繋がり、それぞれの中心点Ｃを結ぶ線から離れた位置で、かつ、それぞれの中心点Ｃを結ぶ線に対称に２本の円弧状に伸びる溝部２２４が、プレス加工により形成されている。
【００２７】
そして、図７に示すように、外リンクプレート２２１は、溝部２２４を内側に対向させて使用されることにより、溝部２２４は、内リンクプレート２１１との僅かな隙間に望むこととなり、２本の溝部２２４を通じてブシュ２１２とピン２２２の遊嵌部分に潤滑油が十分導入されるように構成されている。
【００２８】
外リンクプレート２２１に曲げ、捩り等の力が加わった場合、剛性の弱い溝部２２４が最も変形しやすいが、溝部２２４が円弧状に伸びていることにより、曲がる方向が分散されているため、外リンクプレート２２１が変形するのが防止される。
また、溝部２２４は、前後一対のピン圧入孔２２３のそれぞれの中心点Ｃより内側のそれぞれ対向する半円側で繋がっているため、チェーン２００の引張り時に最も応力のかかるピン圧入孔２２３の外側半円側には溝部２２４による厚みの減少部分がないので、外リンクプレート２２１の引張り方向の変形や破断を防止することができる。
【００２９】
さらに、溝部２２４が対称に２本設けられていることにより、潤滑油が十分導入されるために必要な溝部２２４の深さが浅くなることにより、溝部２２４の加工が容易になるとともに、外リンクプレート２２１の上下方向を区別せずに使用することができ、チェーン１００の組立も容易となる。
【００３０】
以上説明したように、本発明によれば、外リンクプレートが、一方の表面に曲線状に伸びて前後一対のピン圧入孔と繋がる溝部を有していることにより、溝部を通じてブシュとピンの遊嵌部分に潤滑油を十分に導入することができるとともに、溝部に係る曲げ方向の力が曲線に沿って異なる方向に分散するため、外リンクプレートの変形を防止することができ、円滑に屈曲して騒音や振動が少なく、摩擦や摩耗の発生も少ないチェーンとすることができるなど、その効果は甚大である。
【００３１】
なお、本発明のチェーンの外リンクプレートの溝部は上記実施例では円弧状に伸びるものであるが、曲線状に伸び、曲げ、捩り等の力が加わった場合に曲がる方向が分散されるものであれば如何なる曲線であっても良い。さらに、複数の直線を折れ線上に連ねたものも含むものである。
また、溝部の本数を３本以上としてもよく、溝部の本数を増加させれば溝部の深さを浅く設定しても潤滑油を十分に導入することができる。
【図面の簡単な説明】
【００３２】
【図１】本発明の実施例であるチェーンの斜視図。
【図２】本発明の実施例であるチェーンの断面図。
【図３】本発明の一実施例であるチェーンの外リンクプレートの正面図。
【図４】図３の外リンクプレートのＡ−Ａ断面図。
【図５】図３の外リンクプレートを使用したチェーンの断面図。
【図６】本発明の他の実施例であるチェーンの外リンクプレートの正面図。
【図７】図６の外リンクプレートのＢ−Ｂ断面図。
【図８】図６の外リンクプレートを使用したチェーンの断面図。
【図９】従来のチェーンの外リンクプレートの正面図。
【図１０】図９の外リンクプレートの断面図。
【図１１】図９の外リンクプレートの変形時の断面図。
【図１２】図１１の外リンクプレートを使用したチェーンの断面図。
【符号の説明】
【００３３】
１００                  ・・・チェーン
１１０，                ・・・内リンク
１１１，２１１，５１１  ・・・内リンクプレート
１１２，２１２，５１２  ・・・ブシュ
１１３                  ・・・ブシュ圧入孔
１１４，２１４，５１４  ・・・ローラ
１２０，                ・・・外リンク
１２１，２２１，５２１  ・・・外リンクプレート
１２２，２２２，５２２  ・・・ピン
１２３，２２３，５２３  ・・・ピン圧入孔
１２４，２２４，５２４  ・・・溝部
Ｃ                      ・・・ピン圧入孔中心
【図１】
2009275865.tif 000003
【図２】
2009275865.tif 000004
【図３】
2009275865.tif 000005
【図４】
2009275865.tif 000006
【図５】
2009275865.tif 000007
【図６】
2009275865.tif 000008
【図７】
2009275865.tif 000009
【図８】
2009275865.tif 000010
【図９】
2009275865.tif 000011
【図１０】
2009275865.tif 000012
【図１１】
2009275865.tif 000013
【図１２】
2009275865.tif 000014